(57)【要約】      （修正有）【課題】レンズ側にＡＦ機構を持つ新交換レンズと持たない旧レンズ、及び新旧レンズに装着可能な新ボディと旧ボディを有する一眼レフカメラシステムにおいて、新旧レンズと新旧ボディのいずれの組み合わせでも、自動的に、レンズ側ＡＦ機構とボディ側ＡＦ機構とを選択（切替）使用できる。【解決手段】新ボディは、装着された交換レンズが新レンズと旧レンズのいずれであるかを識別する識別デバイスを備え、新レンズは、レンズ側ＡＦ機構と、旧ボディのＡＦカップリングと結合されてＡＦ動力を受けるＡＦジョイント軸と、レンズ側ＡＦ機構とＡＦジョイント軸によって共通に駆動される焦点調節部材と、を備え、更にＡＦジョイント軸と焦点調節部材を常時は連動させるクラッチ機構を備え、新ボディに装着されたとき、新ボディの識別デバイスと協働して、ＡＦジョイント軸と焦点調節部材との連動関係を切り離す動作切替機構を備えている一眼レフカメラシステム。【選択図】図１
2011203355.tif 000002
【特許請求の範囲】
【請求項１】
レンズ側ＡＦ機構；
ボディ側ＡＦカップリングからＡＦ動力を受けるＡＦジョイント軸；
上記レンズ側ＡＦ機構とＡＦジョイント軸によって共通に駆動される焦点調節部材；
ＡＦジョイント軸と焦点調節部材を常時は連動させるクラッチ機構；及び
特定ボディと結合されたとき、上記ＡＦジョイント軸と焦点調節部材との連動関係を切り離す動作切替機構；
を有することを特徴とする一眼レフカメラ用交換レンズ。
【請求項２】
第一仕様のカメラボディ及び第二仕様のカメラボディと、これらのカメラボディに対しそれぞれ着脱可能な第一仕様の交換レンズ及び第二仕様の交換レンズを有する一眼レフカメラシステムであって、
第二仕様のカメラボディは、ボディ側ＡＦ機構と、このボディ側ＡＦ機構によって駆動されるＡＦカップリングを備え、
第二仕様の交換レンズは、第二仕様のカメラボディに装着されたとき上記ＡＦカップリングと結合されてＡＦ動力を受けるＡＦジョイント軸を備え、
第一仕様のカメラボディは、該第一仕様カメラボディに装着された交換レンズが上記第一仕様レンズと第二仕様レンズのいずれであるかを識別する識別デバイスを備え、
第一仕様の交換レンズは、該第一仕様レンズに搭載したＡＦジョイント軸と焦点調節部材を常時は連動させるクラッチ機構を備え、このクラッチ機構は、第一仕様レンズが第一仕様のカメラボディに装着されたとき、上記識別デバイスと協働して、該第一仕様レンズのＡＦジョイント軸と焦点調節部材との連動関係を切り離す動作切替機構を備えていることを特徴とする一眼レフカメラシステム。
【請求項３】
請求項２記載の一眼レフカメラシステムにおいて、第一仕様の交換レンズは、該第一仕様レンズが第二仕様ボディに装着された状態において、ＡＦジョイント軸と焦点調節部材との連動関係を切り離すレンズ側ＡＦ／ＭＦ切替スイッチを備えている一眼レフカメラシステム。
【請求項４】
請求項２または３記載の一眼レフカメラシステムにおいて、第一仕様ボディの識別デバイスは、該カメラボディマウント部分に設けられた周方向の斜面であり、第一仕様レンズの動作切替機構は、該第一仕様レンズを第一仕様ボディに装着するとき、この周方向斜面により押圧されて光軸と平行な方向に移動する動作切替部材である一眼レフカメラシステム。
【請求項５】
請求項２ないし４のいずれか１項記載の一眼レフカメラシステムにおいて、上記焦点調節部材は、第一仕様レンズのレンズ側ＡＦ機構及びＡＦジョイント軸によって共通に駆動される駆動環である一眼レフカメラシステム。
【請求項６】
請求項２ないし５のいずれか１項記載の一眼レフカメラシステムにおいて、第一仕様レンズのレンズ側ＡＦ機構の駆動モータは、超音波モータである一眼レフカメラシステム。
【発明の詳細な説明】
【技術分野】
【０００１】
本発明は、一眼レフカメラ用交換レンズ、カメラボディ及び一眼レフカメラシステムに関する。
【背景技術】
【０００２】
本出願人は、交換レンズ側にＡＦ機構を搭載する一眼レフカメラシステムを開発している。この新一眼レフカメラシステムの新カメラボディには、ＡＦ用の駆動信号を新交換レンズに与える機能が要求されるが、新交換レンズを装着する限り、ＡＦ機構（ボディ側ＡＦ機構）は不要である。また、新交換レンズは、新カメラボディに装着される限りは、ボディ側ＡＦ機構との連動機構は不要である。しかし、新交換レンズは、ボディ側ＡＦ機構を備えた旧カメラボディにも着脱可能であり（新旧システムのマウントは共通であり）、旧ボディに装着したときもＡＦ動作を可能とするため、ボディ側ＡＦ機構との連動性を確保することが好ましい。つまり、新交換レンズには、旧ボディに装着したときに該ボディのＡＦカップリングと連動するＡＦジョイント軸を同時に設けることが好ましく、新カメラボディには、旧交換レンズを装着したときにそのＡＦジョイント軸を介してＡＦ動作が可能なように、旧交換レンズのＡＦジョイント軸と連動するＡＦカップリングを備えることが好ましい。
【先行技術文献】
【特許文献】
【０００３】
【特許文献１】特開２００８-７６６８４号公報
【発明の概要】
【発明が解決しようとする課題】
【０００４】
このような要求に応えるには、新交換レンズに、レンズ側ＡＦ機構とともに、旧ボディのＡＦ機構との連動性を確保するためのＡＦジョイント軸を設ける必要がある。しかし、このようにＡＦ機構を選択可能とすると、新交換レンズを新ボディに装着したとき、ボディ側のＡＦ機構を用いるか、交換レンズ側のＡＦ機構を用いるかの選択スイッチを必要とし、操作が煩雑になるという問題が発生する。
【０００５】
本発明は、以上の問題意識に基づき、新カメラボディに、新（第一仕様）交換レンズと旧（第二仕様）交換レンズのいずれを装着したときにも、自動的に、レンズ側のＡＦ機構とボディ側のＡＦ機構とを選択（切替）使用できる一眼レフカメラ用交換レンズ、カメラボディ及び一眼レフカメラシステムを得ることを目的とする。
【課題を解決するための手段】
【０００６】
本発明は、一眼レフカメラ用交換レンズの態様では、レンズ側ＡＦ機構；ボディ側ＡＦカップリングからＡＦ動力を受けるＡＦジョイント軸；上記レンズ側ＡＦ機構とＡＦジョイント軸によって共通に駆動される焦点調節部材；ＡＦジョイント軸と焦点調節部材を常時は連動させるクラッチ機構；及び特定ボディと結合されたとき、上記ＡＦジョイント軸と焦点調節部材との連動関係を切り離す動作切替機構；を有することを特徴としている。
【０００７】
本発明は、一眼レフカメラシステムの態様では、第一仕様のカメラボディ及び第二仕様のカメラボディと、これらのカメラボディに対しそれぞれ着脱可能な第一仕様の交換レンズ及び第二仕様の交換レンズを有する一眼レフカメラシステムにおいて、
１）第二仕様のカメラボディは、ボディ側ＡＦ機構と、このボディ側ＡＦ機構によって駆動されるＡＦカップリングを備えていること、
２）第二仕様の交換レンズは、第二仕様のカメラボディに装着されたとき上記ＡＦカップリングと結合されてＡＦ動力を受けるＡＦジョイント軸を備えていること、
３）第一仕様のカメラボディは、該第一仕様カメラボディに装着された交換レンズが上記第一仕様レンズと第二仕様レンズのいずれであるかを識別する識別デバイスを備えていること、
４）第一仕様の交換レンズは、該第一仕様レンズに搭載したレンズ側ＡＦ機構と、第二仕様ボディの上記ＡＦカップリングと結合されてＡＦ動力を受けるＡＦジョイント軸と、上記レンズ側ＡＦ機構とＡＦジョイント軸によって共通に駆動される焦点調節部材と、を備えていること、及び
５）第一仕様の交換レンズは、ＡＦジョイント軸と焦点調節部材を常時は連動させるクラッチ機構を備え、このクラッチ機構は、第一仕様レンズが第一仕様のカメラボディに装着されたとき、上記識別デバイスと協働して、該第一仕様レンズのＡＦジョイント軸と焦点調節部材との連動関係を切り離す動作切替機構を備えていること、
を特徴としている。
【０００８】
第一仕様の交換レンズには、該第一仕様レンズが第二仕様ボディに装着された状態において、ＡＦジョイント軸と焦点調節部材との連動関係を切り離すレンズ側ＡＦ／ＭＦ切替スイッチを備えることが好ましい。
【０００９】
第一仕様ボディの識別デバイスは、例えば、該カメラボディマウント部分に設けられた周方向の斜面とし、第一仕様レンズの動作切替機構は、例えば、該第一仕様レンズを第一仕様ボディに装着するとき、この周方向斜面により押圧されて光軸と平行な方向に移動する切替部材とすることができる。
【００１０】
焦点調節部材は、具体的な一態様では、第一仕様レンズのレンズ側ＡＦ機構及びＡＦジョイント軸によって共通に駆動される駆動環である。
【００１１】
第一仕様レンズのレンズ側ＡＦ機構の駆動モータは、超音波モータとすることができる。
【発明の効果】
【００１２】
本発明によれば、新（第一仕様）カメラボディに、レンズ側ＡＦ機構を有する新（第一仕様）交換レンズと、レンズ側ＡＦ機構を持たない旧（第二仕様）交換レンズのいずれを装着したときにも、自動的に、レンズ側のＡＦ機構とボディ側のＡＦ機構とを選択（切替）使用できる一眼レフカメラ用交換レンズ、カメラボディ及び一眼レフカメラシステムが得られる。
【図面の簡単な説明】
【００１３】
【図１】（Ａ）、（Ｂ）は、本発明による一眼レフカメラシステムの第一仕様と第二仕様のカメラボディの一実施形態を示す正面図である。
【図２】（Ａ）、（Ｂ）は、本発明による一眼レフカメラシステムの第一仕様と第二仕様の交換レンズの一実施形態を示す背面図である。
【図３】図１（Ａ）及び図９のIII-III線に沿う断面図である。
【図４】第一仕様レンズのクラッチ機構回りの構成を示す、第一仕様ボディと結合したＡＦ状態（レンズ側ＡＦ機構の動作状態）での展開機構図である。
【図５】同第一仕様レンズを第一仕様ボディと結合した状態（レンズ側ＡＦ機構の動作可能状態）でＭＦ状態としたときの展開機構図である。
【図６】同第一仕様レンズを第二仕様ボディと結合したＡＦ状態（ボディ側ＡＦ機構の動作状態）での展開機構図である。
【図７】同第一仕様レンズを第二仕様ボディと結合した状態（ボディ側ＡＦ機構の動作可能状態）でＭＦ状態としたときの展開機構図である。
【図８】図４ないし図７のVIII-VIII線に沿う断面図である。
【図９】第一仕様レンズのクラッチ機構回りの構成を示す正面図である。
【発明を実施するための形態】
【００１４】
図１（Ａ）、（Ｂ）は、本発明による一眼レフカメラシステムの第一仕様のカメラボディ（新ボディ、以下第一仕様ボディ）１０Ａと第二仕様のカメラボディ（旧ボディ、以下第二仕様ボディ）１０Ｈを示している。第一仕様ボディ１０Ａと第二仕様ボディ１０Ｈはそれぞれ、交換レンズを着脱するボディマウント１１の近傍（回り）に、ロックピン１２、通信給電接点群１３、ＡＦカップリング１４を有している。この第一仕様ボディ１０Ａと第二仕様ボディ１０Ｈにはそれぞれ、被写体距離情報を検出し、該被写体距離情報に応じてＡＦカップリング１４を回転駆動する周知のボディ側ＡＦ機構が備えられている。
【００１５】
第一仕様ボディ１０Ａのボディマウント１１の内側は、以上の要素に加えて、図２（Ａ）、（Ｂ）に示す第一仕様交換レンズ（新レンズ、以下第一仕様レンズ）２０Ａと第二仕様交換レンズ（旧レンズ、以下第二仕様レンズ）２０Ｈを識別する識別デバイスとしての円周方向の斜面１５とその端部の平面部１５Ｈ（図３参照）を備えている。
【００１６】
第一仕様レンズ２０Ａと第二仕様レンズ２０Ｈにはそれぞれ、第一仕様ボディ１０Ａと第二仕様ボディ１０Ｈのボディマウント１１に着脱されるレンズマウント２１の近傍（回り）に、ロック穴２２、通信給電接点群２３、ＡＦジョイント軸２４を有している。
【００１７】
第一仕様レンズ２０Ａは、以上の要素に加えて、レンズ側ＡＦ機構を備えており、さらに、第一仕様ボディ１０Ａの周方向斜面１５と協働して、第一仕様レンズ２０Ａが第一仕様ボディ１０Ａに装着されたときにはボディ側ＡＦ機構を無効として（動作させずに）レンズ側ＡＦ機構を有効とし（動作させ）、第一仕様レンズ２０Ａが第二仕様ボディ１０Ｈに装着されたときには、レンズ側ＡＦ機構を無効として（動作させずに）ボディ側ＡＦ機構を有効とする（動作させる）クラッチ機構（動作切替機構）の動作切替ピン（動作切替部材）２５（図２（Ａ）、図３ないし図７参照）を備えている。
【００１８】
第一仕様ボディ１０Ａと第二仕様ボディ１０Ｈのロックピン１２は、ボディマウント１１に装着された第一仕様レンズ２０Ａと第二仕様レンズ２０Ｈのロック穴２２に嵌まって該交換レンズをロックする。第一仕様ボディ１０Ａと第二仕様ボディ１０Ｈの通信給電接点群１３は、装着された第一仕様レンズ２０Ａと第二仕様レンズ２０Ｈの通信給電接点群２３に導通してボディと交換レンズの間で通信及び給電を実行する。第一仕様ボディ１０Ａと第二仕様ボディ１０ＨのＡＦカップリング１４は、第一仕様レンズ２０Ａと第二仕様レンズ２０ＨのＡＦジョイント軸２４と結合される。
【００１９】
第一仕様レンズ２０Ａのレンズ側ＡＦ機構には、第一仕様ボディ１０Ａに装着されたとき、通信給電接点群１３、２３を介して、該第一仕様ボディ１０Ａ内のＡＦ機構（被写体距離情報検出機構）からの被写体距離情報が供給される。このとき、第一仕様ボディ１０ＡのＡＦカップリング１４は駆動されない。
【００２０】
一方、第二仕様ボディ１０ＨのＡＦカップリング１４は、該第二仕様ボディ１０Ｈに備えられたボディ側ＡＦ機構により、被写体距離情報に応じて回転駆動される。また、第一仕様ボディ１０ＡのＡＦカップリング１４は、該第一仕様ボディ１０Ａに第二仕様レンズ２０Ｈが装着されたとき、同様に該第一仕様ボディ１０Ａに備えられたボディ側ＡＦ機構により、被写体距離情報に応じて回転駆動されるが、該第一仕様ボディ１０Ａに第一仕様レンズ２０Ａが装着されたときには、駆動されない。このような第二仕様ボディ１０Ｈと第二仕様レンズ２０Ｈは周知である。
【００２１】
第一仕様レンズ２０Ａの構成を図４以下で説明する。第一仕様レンズ２０Ａには、レンズ側ＡＦ機構の駆動源としての超音波モータ３１が搭載されている。超音波モータ３１は、通信給電接点群１３、２３を介して供給される第一仕様ボディ１０Ａ内のＡＦ機構による被写体距離情報に応じて正逆に所定角度回転駆動されるもので、その出力軸に設けられたピニオン３２が、駆動環（焦点調節部材）３３を回転させると、第一仕様レンズ２０Ａ内のフォーカスレンズ群が光軸方向に移動する。超音波モータ３１とピニオン３２との間には、ピニオン３２側の正逆の回転力は駆動環３３に伝達するが、駆動環３３に回転力が与えられたときには、同駆動環３３を自由に回転させ（駆動環３３の回転を制限せず）、超音波モータ３１にはその回転力を伝達しない一方向回転伝達機構が介在している。このような一方向回転伝達機構は公知である。
【００２２】
第一仕様レンズ２０Ａ内のＡＦジョイント軸２４は、同軸にピニオン２４ａを備えており、このピニオン２４ａは、クラッチ機構２６を構成するクラッチ第１ギヤ２６ａに噛み合っている。クラッチ第１ギヤ２６ａは、軸２６ｃに軸方向移動を規制して回転自在に支持されており、軸２６ｃには、このクラッチ第１ギヤ２６ａに対して接離移動するクラッチ第２ギヤ２６ｂが軸方向移動及び相対回転自在に支持されている。クラッチ第１ギヤ２６ａとクラッチ第２ギヤ２６ｂには、その対向端面にクラッチ歯２６ａｃ、２６ｂｃが設けられており、クラッチ第２ギヤ２６ｂは、軸２６ｃ回りに設けた圧縮ばね２６ｄにより、そのクラッチ歯２６ｂｃがクラッチ第１ギヤ２６ａのクラッチ歯２６ａｃと噛み合う方向に移動付勢されている。
【００２３】
クラッチ第２ギヤ２６ｂは、動作切替ピン２５及びＡＦ／ＭＦ切替スイッチ２７により、圧縮ばね２６ｄの力に抗して、クラッチ第１ギヤ２６ａのクラッチ歯との噛み合い（連動関係）を解く軸方向に移動する。すなわち、動作切替ピン２５は、一体成形された結合板２５ａとクラッチブロック２５ｂを備えていて、軸２６ｃに沿って光軸と平行な方向に移動可能であり、クラッチブロック２５ｂには、クラッチ第２ギヤ２６ｂと軸方向に一体に移動するクラッチ板２５ｃが結合されている。動作切替ピン２５（結合板２５ａ、クラッチブロック２５ｂ及びクラッチ板２５ｃ）は、該動作切替ピン２５に外力が加わらない状態では、圧縮ばね２６ｄの力により、突出位置（図６、図７）にあり、このとき、クラッチ第１ギヤ２６ａのクラッチ歯２６ａｃとクラッチ第２ギヤ２６ｂのクラッチ歯２６ｂｃとは噛み合っている。一方、圧縮ばね２６ｄの力に抗して動作切替ピン２５（クラッチブロック２５ｂ）を押込位置（図４、図５）に移動させると、クラッチ第２ギヤ２６ｂのクラッチ歯２６ｂｃがクラッチ第１ギヤ２６ａのクラッチ歯２６ａｃから離間し、クラッチ第２ギヤ２６ｂとクラッチ第１ギヤ２６ａの連動関係が解かれる。
【００２４】
また、ＡＦ／ＭＦ切替スイッチ２７は、軸２７ａを中心に揺動可能なスイングアーム２７ｂを有し、このスイングアーム２７ｂの一方の腕に、第一仕様レンズ２０Ａの外部から操作可能な操作部２７ｃが設けられ、他方の腕の先端に、クラッチ第２ギヤ２６ｂに係合する着力部２７ｄが設けられている。操作部２７ｃがＡＦ位置（図４、図６）にあるときには、クラッチ第２ギヤ２６ｂは圧縮ばね２６ｄの力により、そのクラッチ歯２６ｂｃがクラッチ第１ギヤ２６ａのクラッチ歯２６ａｃとの噛み合う位置にある。一方、スイングアーム２７ｂの操作部２７ｃをＭＦ位置（図５、図７）に移動させると、着力部２７ｄが、圧縮ばね２６ｄの力に抗してクラッチ第２ギヤ２６ｂをクラッチ第１ギヤ２６ａから離間させ、同様にクラッチ第１ギヤ２６ａとクラッチ第２ギヤ２６ｂの連動関係を解く。スイングアーム２７ｂは、引張ばね２７ｓにより、クラッチ第１ギヤ２６ａのクラッチ歯２６ａｃとクラッチ第２ギヤ２６ｂのクラッチ歯２６ｂｃとが噛み合う方向に回動付勢されている。なお、図４、図５、図７の状態では、クラッチ第１ギヤ２６ａのクラッチ歯２６ａｃとクラッチ第２ギヤ２６ｂのクラッチ歯２６ｂｃとは離間しているので、駆動環３３が回転しても、その回転がＡＦジョイント軸２４には伝達されることはない。また、クラッチ第１ギヤ２６ａのクラッチ歯２６ａｃとクラッチ第２ギヤ２６ｂのクラッチ歯２６ｂｃは噛み合っている図６の状態では、駆動環３３が回転しても、上述の一方向回転伝達機構により、その回転が超音波モータ３１に伝達されることはない。
【００２５】
超音波モータ３１のピニオン３２に噛み合う上述の駆動環３３は、図８に示すように、以上のクラッチ機構２６のクラッチ第２ギヤ２６ｂとも常時噛み合っており、ピニオン３２が回転しても、クラッチ第２ギヤ２６ｂが回転しても、駆動環３３が回転駆動され、フォーカスレンズ群が光軸方向に移動する。駆動環３３の回転によりフォーカスレンズ群を移動させる機構は周知であり、本発明はその構成を問わないので、図示を省略している。
【００２６】
図９は、図４ないし図８で説明したＡＦジョイント軸２４、クラッチ第１ギヤ２６ａ、クラッチ第２ギヤ２６ｂ、動作切替ピン２５、ＡＦ／ＭＦ切替スイッチ２７、超音波モータ３１及びピニオン３２の光軸と平行な方向から見た位置関係を示すもので、上下関係を無視して全て実線で描いている。また、第一仕様ボディ１０Ａ内の周方向斜面１５も重ねて描いている。ＡＦジョイント軸２４、クラッチ第１ギヤ２６ａ、クラッチ第２ギヤ２６ｂ、動作切替ピン２５及び超音波モータ３１のピニオン３２の軸線は、いずれも光軸と平行な方向に向いており、ＡＦ／ＭＦ切替スイッチ２７は、鏡筒の円周方向に沿って延びている。
【００２７】
以上の一眼レフカメラシステムは、
１）第二仕様ボディ１０Ｈと第二仕様レンズ２０Ｈの組み合わせ、
２）第二仕様ボディ１０Ｈと第一仕様レンズ２０Ａの組み合わせ、
３）第一仕様ボディ１０Ａと第二仕様レンズ２０Ｈの組み合わせ、
４）第一仕様ボディ１０Ａと第一仕様レンズ２０Ａの組み合わせ、
の４通りの組み合わせが可能である。各組み合わせのＡＦ／ＭＦ動作について説明する。
【００２８】
１）第二仕様ボディ１０Ｈと第二仕様レンズ２０Ｈ（旧ボディと旧レンズ）の組み合わせのとき
第二仕様ボディ１０ＨのＡＦカップリング１４と第二仕様レンズ２０ＨのＡＦジョイント軸２４が結合され、第二仕様ボディ１０Ｈ内に搭載されたボディ側ＡＦ機構によりＡＦカップリング１４が被写体距離情報に応じて回転駆動される。ＡＦカップリング１４に結合されたＡＦジョイント軸２４が回転すると、第二仕様レンズ２０Ｈ内のフォーカシングレンズ群が合焦位置に移動される。第二仕様レンズ２０ＨをＭＦ状態にすれば、ＡＦジョイント軸２４はＡＦカップリング１４に対してフリーとなり、第二仕様レンズ２０Ｈ側での手動合焦動作が可能となる。
【００２９】
２）第二仕様ボディ１０Ｈと第一仕様レンズ２０Ａ（旧ボディと新レンズ）の組み合わせのとき
第一仕様レンズ２０Ａの動作切替ピン２５が押圧力を受けることはなく、従って、クラッチ第１ギヤ２６ａのクラッチ歯２６ａｃとクラッチ第２ギヤ２６ｂのクラッチ歯２６ｂｃとは噛合を維持している（図６、ボディ側ＡＦ機構の動作状態）。第二仕様ボディ１０ＨのＡＦカップリング１４と第一仕様レンズ２０ＡのＡＦジョイント軸２４が結合され、第二仕様ボディ１０Ｈ内に搭載されたボディ側ＡＦ機構によりＡＦカップリング１４が被写体距離情報に応じて回転駆動されると、ＡＦジョイント軸２４が回転し第一仕様レンズ２０Ａ内のフォーカシングレンズ群が合焦位置に移動される。このときには、第二仕様ボディ１０Ｈの通信給電接点群１３と第一仕様レンズ２０Ａの通信給電接点群２３間の通信により、第一仕様レンズ２０Ａの超音波モータ３１には、駆動信号（電力）は与えられない。第一仕様レンズ２０ＡのＡＦ／ＭＦ切替スイッチ２７をＭＦ状態にすると（図７、ボディ側ＡＦ機構の動作可能状態でのＭＦ状態）、クラッチ第１ギヤ２６ａとクラッチ第２ギヤ２６ｂの結合が解かれ、ＡＦジョイント軸２４は駆動環３３に対してフリーとなるから、第一仕様レンズ２０Ａ側での手動合焦動作が可能となる。
【００３０】
３）第一仕様ボディ１０Ａと第二仕様レンズ２０Ｈ（新ボディと旧レンズ）の組み合わせのとき
第二仕様レンズ２０Ｈには、第一仕様ボディ１０Ａ内の周方向斜面１５と干渉する部材は存在しない。従って、クラッチ機構２６のクラッチ第１ギヤ２６ａのクラッチ歯２６ａｃとクラッチ第２ギヤ２６ｂのクラッチ歯２６ｂｃは噛合を保ち、ＡＦジョイント軸２４と駆動環３３とは連動している。第一仕様ボディ１０ＡのＡＦカップリング１４と第二仕様レンズ２０ＨのＡＦジョイント軸２４が結合され、第一仕様ボディ１０Ａ内に搭載されたボディ側ＡＦ機構によりＡＦカップリング１４が被写体距離情報に応じて回転駆動されると、ＡＦジョイント軸２４が回転し第二仕様レンズ２０Ｈ内のフォーカシングレンズ群が合焦位置に移動される。第二仕様レンズ２０ＨをＭＦ状態にすると、ＡＦジョイント軸２４はＡＦカップリング１４に対してフリーとなり、第二仕様レンズ２０Ｈ側での手動合焦動作が可能となる。
【００３１】
４）第一仕様ボディ１０Ａと第一仕様レンズ２０Ａ（新ボディと新レンズ）の組み合わせのとき
第一仕様レンズ２０Ａを第一仕様ボディ１０Ａに装着すると、装着時の回動動作によって、第一仕様レンズ２０Ａの動作切替ピン２５が、第一仕様ボディ１０Ａの周方向斜面１５によって押圧され、最終的に平面１５Ｈと係合する結果（図３）、圧縮ばね２６ｄの力に抗してクラッチ第２ギヤ２６ｂがクラッチ第１ギヤ２６ａから離れる（図４、レンズ側ＡＦ機構の動作状態）。よって、駆動環３３はＡＦジョイント軸２４からフリーとなる。この状態においては、第一仕様ボディ１０Ａの通信給電接点群１３と第一仕様レンズ２０Ａの通信給電接点群２３間の通信により、第一仕様ボディ１０Ａに搭載されたＡＦ機構から、レンズ側ＡＦ機構（超音波モータ３１）にＡＦ情報（被写体距離情報）が与えられる。また、超音波モータ３１には、通信給電接点群１３、２３を介して第一仕様ボディ１０Ａ側から駆動電力が与えられる。その結果、ピニオン３２が被写体距離情報に応じた角度だけ正逆に回転し、駆動環３３が回転してフォーカスレンズ群が合焦位置に移動する。なお、この第一仕様ボディ１０Ａと第一仕様レンズ２０Ａの組み合わせにおいて、第一仕様レンズ２０ＡのＡＦ／ＭＦ切替スイッチ２７をＭＦ状態にしても（図５、レンズ側ＡＦ機構の動作可能状態でのＭＦ状態）、クラッチ機構２６に実質的な変化はない。すなわち、ＡＦ／ＭＦ切替スイッチ２７をＭＦ位置にすると、スイングアーム２７ｂの角度は変化するが、第一仕様ボディ１０Ａに第一仕様レンズ２０Ａを装着した時点で、動作切替ピン２５が押し込まれていることから、既にクラッチ第１ギヤ２６ａとクラッチ第２ギヤ２６ｂの結合は解かれており、この連動解除状態は変化しない。前述のように、超音波モータ３１とピニオン３２との間には、ピニオン３２側の正逆の回転力は駆動環３３に伝達するが、駆動環３３に回転力が与えられたときには、同駆動環３３を自由に回転させる一方向回転伝達機構が介在しているので、駆動環３３を手動で回転させるＭＦ操作は自由に可能である。第一仕様レンズ２０ＡのＡＦ／ＭＦ切替スイッチ２７をＭＦ位置とした情報は、第一仕様レンズ２０Ａの通信給電接点群２３と第一仕様ボディ１０Ａの通信給電接点群１３との間の通信により、第一仕様ボディ１０Ａに与えられる。
【００３２】
以上の実施形態では、第一仕様ボディ１０Ａの識別デバイスを周方向斜面１５とし、第一仕様レンズ２０Ａの動作切替機構（動作切替部材）を動作切替ピン２５としたが、この識別デバイスと動作切替部材は、例えば、該ボディとレンズの特定回転位置で互いに係合する穴軸関係とすることができる。また、第一仕様レンズ２０Ａのレンズ側ＡＦ機構の駆動源は、超音波モータ３１以外のモータを用いることが可能である。
【符号の説明】
【００３３】
１０Ａ  第一仕様カメラボディ（新ボディ）
１０Ｈ  第二仕様カメラボディ（旧ボディ）
１１  ボディマウント
１２  ロックピン
１３  通信給電接点群
１４  ＡＦカップリング
１５  周方向斜面（識別デバイス）
２０Ａ  第一仕様交換レンズ（新レンズ）
２０Ｈ  第二仕様交換レンズ（旧レンズ）
２１  レンズマウント
２２  ロック穴
２３  通信給電接点群
２４  ＡＦジョイント軸
２５  動作切替ピン（動作切替部材）
２５ｂ  クラッチブロック
２５ｃ  クラッチ板
２６  クラッチ機構
２６ａ  クラッチ第１ギヤ
２６ｂ  クラッチ第２ギヤ
２６ｃ  軸
２６ｄ  圧縮ばね
２７  ＡＦ／ＭＦ切替スイッチ
２７ａ  軸
２７ｂ  スイングアーム
２７ｃ  操作部
２７ｄ  着力部
３１  超音波モータ
３２  ピニオン
３３  駆動環（焦点調節部材）
【図１】
2011203355.tif 000003
【図２】
2011203355.tif 000004
【図３】
2011203355.tif 000005
【図４】
2011203355.tif 000006
【図５】
2011203355.tif 000007
【図６】
2011203355.tif 000008
【図７】
2011203355.tif 000009
【図８】
2011203355.tif 000010
【図９】
2011203355.tif 000011